(57)【要約】【課題】簡易な方式で樹脂レンズの内部吸収による透過率の減少を抑制することが可能な画像形成装置を提供する。【解決手段】レーザ駆動回路１０ａ，１０ｂは、画像データに応じてＬＤアレイ２に内蔵される発光部をそれぞれ駆動し、光ビームを感光体に出力する。これにより感光体に対する画像記録（印字処理）が行われる。レーザ駆動回路１０ｃは、ＣＰＵ３２からの指示に従ってＬＤアレイ２に内蔵される発光部を駆動し、光ビームを出力する。本例においては、発光部はＳＯＳセンサ５の検知走査処理のために光ビームを出力する。【選択図】図４
2012154999.tif 000002
【特許請求の範囲】
【請求項１】
４５０ｎｍ未満の波長の光ビームと、４５０ｎｍ以上の波長の光ビームを出力することが可能な複数の発光部を含む光源と、
前記光源からの光ビームを偏向走査する回転多面鏡と、
感光体と、
前記回転多面鏡により走査された光ビームを前記感光体上に結合させる走査光学レンズ系と、
前記感光体以外の領域において前記感光体上での開始タイミングを設定するために前記回転多面鏡により走査された光ビームを検知する検知手段と、
前記走査された光ビームを前記検知手段に集光させる検知レンズと、
前記光源を制御するための制御部とを備え、
前記走査光学レンズ系および前記検知レンズは樹脂レンズに相当し、
前記制御部は、前記回転多面鏡により走査する際、前記検知手段に対して走査処理を実行する場合には４５０ｎｍ以上の波長の光ビームを出力するように前記光源に指示し、前記感光体上に対して走査処理を実行する場合に、４５０ｎｍ未満の波長の光ビームを出力するように前記光源に指示する、画像形成装置。
【請求項２】
前記検知レンズは、前記走査光学レンズ系の一部分である、請求項１記載の画像形成装置。
【請求項３】
前記制御部は、前記回転多面鏡により走査する際、前記検知手段に対する走査処理と異なるタイミングで前記４５０ｎｍ未満の波長の光ビームの光量調整のために４５０ｎｍ未満の波長の光ビームを出力するように前記光源に指示する、請求項１または２記載の画像形成装置。
【請求項４】
前記検知レンズと前記回転多面鏡との間に前記４５０ｎｍ未満の波長の光ビームを遮断するフィルタをさらに備える、請求項１〜３のいずれかに記載の画像形成装置。
【請求項５】
前記回転多面鏡には、角度に応じて前記４５０ｎｍ以上の波長の光ビームと前記４５０ｎｍ未満の波長の光ビームの反射率特性が異なる加工が施される、請求項１〜４のいずれかに記載の画像形成装置。
【発明の詳細な説明】
【技術分野】
【０００１】
この発明は、特に短波長レーザを用いて走査する画像形成装置に関する。
【背景技術】
【０００２】
従来より、記録媒体上に画像を形成するプリンタや複写機が知られている。
これらプリンタや複写機に代表される画像形成装置は、光走査装置を用いて静電潜像を形成し、形成された静電潜像によりトナー画像を作成して、そのトナー画像を定着器により加熱および加圧することで記録媒体上に定着させて記録媒体上に画像を形成するものがある。
【０００３】
一般に、この種の光走査装置はレーザ光源からの光ビームをポリゴンミラーによって偏向し、結像レンズ系によって被走査面上に光スポットとして結像させるようになっている。
【０００４】
レーザ光源には半導体レーザ等が多用され、レーザ光源から射出された発散光は、コリメータレンズにより略平行な光ビームに変換され、アパーチャにより光ビームの外形が制限される。外形が制限された光ビームは、定角速度で回転するポリゴンミラーにより偏向されて結象レンズ系に入射する。結像レンズ系は定角速度で偏向された光ビームを所定の間隔で配置された被走査面上に等距離速度で走査させるｆθ特性を有し、全走査域にわたって微小な光スポットを形成するように設けられている。
【０００５】
一方で、近年においては、高解像度化の要求により短波長のレーザ光源を使用し、より微小スポットを形成する方式が提案されている（特許文献１）。
【０００６】
しかしながら、結像レンズ系として樹脂レンズを用いる場合、短波長の光ビームになるに従い、樹脂レンズの内部吸収により樹脂レンズの透過率が減少するため高コストのガラスレンズが採用されてきた。
【０００７】
これに対して、特許文献２においては、結像レンズ系としての樹脂レンズを加工することにより樹脂レンズの内部吸収による透過率の減少を抑制する方式を提案している。
【先行技術文献】
【特許文献】
【０００８】
【特許文献１】特開２００７−２４０５９１号公報
【特許文献２】特開２００４−１４５３５２号公報
【発明の概要】
【発明が解決しようとする課題】
【０００９】
しかしながら、上記公報に示される方式は、樹脂レンズを調整する方式であるため特殊な加工が必要でありコストがかかるという問題がある。
【００１０】
本発明は、上記のような問題を解決するためになされたものであって、簡易な方式で樹脂レンズの内部吸収による透過率の減少を抑制することが可能な画像形成装置を提供することを目的とする。
【課題を解決するための手段】
【００１１】
本発明のある局面に従う画像形成装置は、４５０ｎｍ未満の波長の光ビームと、４５０ｎｍ以上の波長の光ビームを出力することが可能な複数の発光部を含む光源と、光源からの光ビームを偏向走査する回転多面鏡と、感光体と、回転多面鏡により走査された光ビームを感光体上に結合させる走査光学レンズ系と、感光体以外の領域において感光体上での開始タイミングを設定するために回転多面鏡により走査された光ビームを検知する検知手段と、走査された光ビームを検知手段に集光させる検知レンズと、光源を制御するための制御部とを備える。走査光学レンズ系および検知レンズは樹脂レンズに相当し、制御部は、回転多面鏡により走査する際、検知手段に対して走査処理を実行する場合には４５０ｎｍ以上の波長の光ビームを出力するように光源に指示し、感光体上に対して走査処理を実行する場合に、４５０ｎｍ未満の波長の光ビームを出力するように光源に指示する。
【００１２】
好ましくは、検知レンズは、走査光学レンズ系の一部分である。
好ましくは、制御部は、回転多面鏡により走査する際、検知手段に対する走査処理と異なるタイミングで４５０ｎｍ未満の波長の光ビームの光量調整のために４５０ｎｍ未満の波長の光ビームを出力するように光源に指示する。
【００１３】
好ましくは、検知レンズと回転多面鏡との間に４５０ｎｍ未満の波長の光ビームを遮断するフィルタをさらに備える。
【００１４】
好ましくは、回転多面鏡には、角度に応じて４５０ｎｍ以上の波長の光ビームと４５０ｎｍ未満の波長の光ビームの反射率特性が異なる加工が施される。
【発明の効果】
【００１５】
本発明のある局面に従う画像形成装置において、制御部は、回転多面鏡により走査する際、検知手段に対して走査処理を実行する場合には４５０ｎｍ以上の波長の光ビームを出力するように光源に指示し、感光体上に対して走査処理を実行する場合に、４５０ｎｍ未満の波長の光ビームを出力するように光源に指示することにより、検知レンズの内部吸収による透過率の減少を抑制することが可能である。
【図面の簡単な説明】
【００１６】
【図１】本発明の実施の形態に従う画像形成装置が適用されるタンデム方式のＭＦＰ１００の概略構成を示す模式的断面図である。
【図２】本発明の実施の形態に従うレーザ装置１１３に含まれるレーザ走査部１１８Ｋについて説明する概略構成図である。
【図３】本発明の実施の形態に従うＬＤアレイ２の構成について説明する図である。
【図４】本発明の実施の形態に従うレーザ走査部１１８Ｋを駆動する概略ブロック図である。
【図５】本発明の実施の形態に従う画像印字のための走査処理におけるタイミングシーケンスを説明する図である。
【図６】本発明の実施の形態の変形例１に従うレーザ装置１１３に含まれるレーザ走査部１１８Ｋ＃について説明する概略構成図である。
【図７】本発明の実施の形態の変形例２に従う画像印字のための走査処理におけるタイミングシーケンスを説明する図である。
【図８】本発明の実施の形態の変形例３に従うレーザ装置１１３に含まれるレーザ走査部１１８Ｋａについて説明する概略構成図である。
【図９】本発明の実施の形態の変形例４に従う入射光と反射光との関係を説明する図である。
【図１０】本発明の実施の形態の変形例４に従うポリゴンミラー４の反射率特性を説明する図である。
【発明を実施するための形態】
【００１７】
以下に、図面を参照しつつ、本発明の実施の形態について説明する。以下の説明では、同一の部品および構成要素には同一の符号を付してある。それらの名称および機能も同じである。したがって、それらについての詳細な説明は繰返さない。
【００１８】
図１は、本発明の実施の形態に従う画像形成装置が適用されるタンデム方式のＭＦＰ１００の概略構成を示す模式的断面図である。
【００１９】
図１を参照して、ＭＦＰ１００は、原稿から画像データを読取る画像形成部１０１と、画像処理部１１０Ａと、用紙上に画像を印刷する画像出力部１０２とから構成される。
【００２０】
画像形成部１０１の原稿台１０３上に載置された原稿は、スキャナ１０４の備える露光ランプ１０５により照射される。スキャナ１０４は、スキャナモータ１１２により矢印方向に移動して原稿全体を走査する。
【００２１】
原稿面からの反射光は、ミラー１０６〜１０８および集光レンズを介してＣＣＤ（Charge Coupled Devices）１１０上に像を結ぶ。ＣＣＤ１１０は、原稿面からの反射光をＲＧＢの色データ（アナログ信号）に変換して画像処理部１１０Ａに出力する。ＣＣＤ１１０が画像処理部１１０Ａに出力する色データを、出力画像用データという。
【００２２】
画像処理部１１０Ａは、ＣＣＤ１１０から入力される画像データに所定の画像処理を施してレーザ装置１１３にデジタル信号を出力する。ここでスキャナ１０４からレーザ装置１１３に出力されるデジタル信号は、シアン用の画像色データＣと、マゼンタ用の画像色データＭと、イエロー用の画像色データＹと、ブラック用の画像色データＫである。光走査装置であるレーザ装置１１３は、入力された画像色データＣ，Ｍ，Ｙ，Ｋに基づいて、シアン、マゼンタ、イエロー、ブラックそれぞれの感光体１１５Ｃ，１１５Ｍ，１１５Ｙ，１１５Ｋに光ビームを出力する。
【００２３】
画像出力部１０２において、レーザ装置１１３から出力される光ビームは、帯電チャージャ１１４Ｃ，１１４Ｍ，１１４Ｙ，１１４Ｋによって帯電された感光体１１５Ｃ，１１５Ｍ，１１５Ｙ，１１５Ｋを露光し、静電潜像を形成する。シアン、マゼンタ、イエロー、およびブラックの４色の現像器１１６Ｃ，１１６Ｍ，１１６Ｙ，１１６Ｋにより、感光体１１５Ｃ，１１５Ｍ，１１５Ｙ，１１５Ｋ上の静電潜像が現像される。
【００２４】
一方、転写ベルト１３０は、駆動ローラ１３３Ａと固定ローラ１３３Ｂ，１３３Ｃ，１３３Ｄとにより弛まないように懸架されている。駆動ローラ１３３Ａが図中で反時計回りに回転すると、転写ベルト１３０が所定速度で図中の反時計回りに回転する。
【００２５】
給紙カセット１２０〜１２２より適当な用紙が搬送され、タイミングローラ１３１から転写ベルト１３０に用紙が供給される。転写ベルト１３０に供給された用紙は、転写ベルト１３０上に担持され、図中で左方向に搬送される。これにより、用紙がシアン、マゼンタ、イエロー、ブラックの順に感光体１１５Ｃ，１１５Ｍ，１１５Ｙ，１１５Ｋと接触する。用紙がそれぞれの感光体１１５Ｃ，１１５Ｍ，１１５Ｙ，１１５Ｋと接触したときに、感光体と対をなす転写チャージャ１１７Ｃ，１１７Ｍ，１１７Ｙ，１１７Ｋにより感光体上に現像されたトナー像が用紙に転写される。
【００２６】
トナー像が転写された用紙は、定着ローラ対１３２により加熱および加圧される。これにより、トナーは溶かされて用紙に定着する。その後、用紙は画像出力部１０２から排出される。
【００２７】
なお、本例においては、原稿台１０３に原稿を載置する場合について図示しているが例えば、図示しない自動原稿搬送装置（ＡＤＦ（Auto Document Feeder））を用いて原稿台に原稿を搬送するようにしても良い。
【００２８】
図２は、本発明の実施の形態に従うレーザ装置１１３に含まれるレーザ走査部１１８Ｋについて説明する概略構成図である。
【００２９】
図２を参照して、本発明の実施の形態に従うレーザ走査部１１８Ｋは、ＬＤアレイ２、コリメータレンズ３、アパーチャ７、ポリゴンミラー４、走査レンズ６ａ，６ｂ、ＳＯＳ（Start of Scan）センサ５およびセンサレンズ４６とを含む。なお、本例においては、レーザ走査部１１８Ｋについて説明するが、レーザ走査部１１８Ｙ、１１８Ｍ、１１８Ｃについても同様であるのでその詳細な説明は繰り返さない。
【００３０】
ポリゴンミラー４は、図示しない駆動回路に入力される制御信号に基づいて所定の回転速度で回転する。
【００３１】
ＬＤアレイ２から放射された複数の光ビーム８は、コリメータレンズ３で略平行光とされ、ポリゴンミラー４の偏向反射面で回転され、等角速度に偏向され、走査レンズ６ａ，６ｂを透過して感光体１１５Ｋ上で結像し、矢印方向（主走査方向）に走査される。本例においては、印字する際には２本の光ビームが出力されるものとする。それ以外の場合には１本の光ビームが出力される。
【００３２】
感光体１１５Ｋには矢印方向への主走査と感光体１１５Ｋの回転による副走査とで２次元の静電潜像が形成される。
【００３３】
走査レンズ６ａ及び６ｂは、光ビームを感光体１１５Ｋ上で結像させる結像特性及びポリゴンミラー４で等角速度に偏向された光ビームを主走査方向に等速度に補正するｆθ特性を有している。
【００３４】
センサレンズ４６は、ポリゴンミラー４で偏向された入射される光ビームをＳＯＳセンサ５に集光する。なお、走査レンズ６ａ，６ｂおよびセンサレンズ４６は、樹脂レンズが用いられるものとする。
【００３５】
ＳＯＳセンサ５は、感光体１１５Ｋの画像が形成される領域外に配置され、センサレンズ４６を透過した光ビームの入射を検知する。当該光ビームの入射を検知することにより主走査方向の開始タイミング（同期）が設定される。
【００３６】
図３は、本発明の実施の形態に従うＬＤアレイ２の構成について説明する図である。
図３を参照して、本発明の実施の形態に従うＬＤアレイ２は、複数の発光部２０２ａ，２０２ｂ、２０２ｃを有している。ＬＤアレイ２における複数の発光部２０２ａ，２０２ｂ，２０２ｃ（ここでは３つの発光部とする）から出射される光ビームのうち、１つの発光部２０２ｃから４５０ｎｍ以上の波長をもつ光ビームが出射される。また、残りの２つの発光部２０２ａ，２０２ｂからは４５０ｎｍ未満の波長をもつ光ビームを出射する。例えば、一例として発光部２０２ｃは赤外レーザ、発光部２０２ａ，２０２ｂは青色レーザを用いるものとする。
【００３７】
これらの光ビームは同一のチップから出力されるため、同一光軸上に出射される。
なお、ＬＤアレイ２から出射される光ビームが走査する感光体１１５Ｋは、４５０ｎｍ未満の光ビームに感度を持っているものとする。
【００３８】
図４は、本発明の実施の形態に従うレーザ走査部１１８Ｋを駆動する概略ブロック図である。
【００３９】
図４を参照して、ここでは、レーザ走査部１１８Ｋと、画像処理部１１０Ａの構成とが示されている。
【００４０】
画像処理部１１０Ａは、メモリ３１と、ＣＰＵ（Central Processing Unit）３２と、クロック発生回路３３と、画像処理ブロック３４と、変調回路３５ａ，３５ｂとを含む。
【００４１】
ＣＰＵ３２は、メモリ３１に予め格納されたプログラムに基づいて画像処理部１１０Ａ全体を制御する。
【００４２】
ＣＣＤ１１０から出力された出力用画像データは画像処理ブロック３４に入力され、画像処理ブロック３４では入力された画像データに画像処理を施すとともに発光部２０２ａ，２０２ｂにそれぞれ分配して変調回路３５ａ，３５ｂに出力する。
【００４３】
クロック発生回路３３は、ＣＰＵ３２からの指示に従って変調回路３５ａ，３５ｂにおける同期信号を生成するためのデータクロックＤＣＫａ，ＤＣＫｂを生成する。
【００４４】
変調回路３５ａ，３５ｂは、画像処理ブロック３４から分配された出力用画像データをデータクロックＤＣＫａ，ＤＣＫｂに同期して画像データＩａ，Ｉｂとしてレーザ走査部１１８Ｋに出力する。
【００４５】
レーザ走査部１１８Ｋにおいて、変調回路３５ａ，３５ｂから出力された画像データＩａ，Ｉｂはレーザ駆動回路１０ａ，１０ｂに入力される。
【００４６】
レーザ駆動回路１０ａ，１０ｂは、画像データＩａ，Ｉｂに応じてＬＤアレイ２に内蔵される発光部２０２ａ，２０２ｂをそれぞれ駆動し、光ビームを感光体１１５Ｋに出力する。これにより感光体１１５Ｋに対する画像記録（印字処理）が行われる。本例においては、一例として、光ビームが照射された箇所が除電され当該箇所にトナーが付着するものとする。すなわち、光ビームは印字部に照射されるものとする。
【００４７】
また、レーザ駆動回路１０ａ，１０ｂ，１０ｃは、ＣＰＵ３２からの発光信号Ｐａ，Ｐｂ，Ｐｃの指示に従ってＬＤアレイ２に内蔵される発光部２０２ａ，２０２ｂ，２０２ｃを駆動し、光ビームを出力する。本例においては、後述するが、発光部２０２ｃはＳＯＳセンサ５の検知走査処理のために光ビームを出力するため、レーザ駆動回路１０ｃには、画像データは供給されない。
【００４８】
各レーザ駆動回路１０ａ〜１０ｃには、図示しないがＬＤアレイ２からの光ビームの光量を示す信号がフイードバックされ、その光量が一定になるようにＬＤアレイ２に内蔵された各発光部の駆動が制御される。
【００４９】
ＬＤアレイ２から出力される光ビームはポリゴンミラー４に供給されて偏向され、上述したように走査レンズを透過して被走査面である図示しない感光体１１５Ｋ上に走査される。
【００５０】
ポリゴンミラー４は、駆動部１１により駆動され、回転速度はＣＰＵ３２により入力されるポリゴンミラー駆動信号により制御される。
【００５１】
このポリゴンミラー４によって偏向された光ビームの走査開始点は、ＳＯＳセンサ５によって規定される。本例においては、発光部２０２ｃから出力された光ビームは、走査領域の先端側で走査され、当該領域に配置されたＳＯＳセンサ５で当該光ビームが検出される。そして、ＳＯＳセンサ５の検出信号（同期信号）は、ＣＰＵ３２を経由して画像処理ブロック３４に供給されて、ＬＤアレイ２に内蔵したそれぞれの発光部による記録開始のタイミングが制御される。
【００５２】
なお、本例においては、レーザ走査部１１８Ｋを主に説明するが、他のレーザ走査部についても同様である。
【００５３】
図５は、本発明の実施の形態に従う画像印字のための走査処理におけるタイミングシーケンスを説明する図である。
【００５４】
図５を参照して、ＳＯＳセンサ５から出力される同期信号、画像データＩａ，Ｉｂ、発光信号Ｐａ〜Ｐｃおよび発光部２０２ａ〜２０２ｃの発光状態が示されている。
【００５５】
本実施の形態においては、まず、画像印字時である時刻Ｔ０ｃにおいて、４５０ｎｍ以上の波長の光ビームを出射する発光部２０２ｃを発光信号Ｐｃにより発光させ、時刻Ｔ０ｄにおいてＳＯＳセンサ５で同期信号を検出する。その後、時刻Ｔ０ｄで検出された同期信号により書き出しタイミングが制御された画像データＩａ，Ｉｂが時刻Ｔ０ｅにおいて出力され、画像データＩａ，Ｉｂにより４５０ｎｍ未満の波長の光ビームを出射する発光部２０２ａ，２０２ｂを発光信号Ｐａ，Ｐｂにより発光させて画像を形成する。
【００５６】
また、時刻Ｔ０ｃよりも前の時刻Ｔ０ａ，Ｔ０ｂにおいて、それぞれ発光信号Ｐａ，Ｐｂにより画像領域外で発光部２０２ａ，２０２ｂを発光させて発光部２０２ａ，２０２ｂの光ビームの光量調整を行っている。以上のような走査シーケンスを繰り返し、画像の印字処理が実行される。
【００５７】
なお、本例においては、２本の光ビームを同時に走査して画像印字処理を実行する場合について説明したが、特にこれに限られず、１本の光ビームを用いて画像印字処理を実行するようにしても良いし、あるいは、さらに複数本の光ビームを同時に走査して画像印字処理を実行するようにすることも可能である。また、１本の光ビームに限らず、複数のビームを合成して用いるようにすることも可能である。
【００５８】
本発明の実施の形態においては、画像印字のための走査処理において、まず、画像領域外でＳＯＳセンサ５で同期信号を検出するための走査処理が実行される。その際、４５０ｎｍ以上の波長の光ビームを出射する発光部２０２ｃを用いて走査する。したがって、センサレンズ４６に入射される光ビームは、４５０ｎｍ以上の波長を有するため、当該センサレンズ４６に樹脂レンズを用いた場合であっても光ビームの内部吸収による透過率の減少の影響を抑制することができる。
【００５９】
そして、同期信号を検出した後、４５０ｎｍ未満の波長の光ビームを出射する発光部２０２ａ，２０２ｂを用いて画像印字のための走査処理が実行される。画像印字時において、画像データにより形成される画像には、印字部と非印字部とがあるため発光部は、常に発光した状態ではなくオン／オフを繰り返すことになる。
【００６０】
したがって、走査レンズ６ａ，６ｂに樹脂レンズを用いた場合であっても画像印字時における光ビームの内部吸収による透過率の減少の影響は比較的小さいものである。
【００６１】
また、光量調整のための発光部２０２ａ，２０２ｂの発光タイミングを同期信号を検出する走査処理と重複させないようにすることにより４５０ｎｍ未満の波長を有する光ビームがセンサレンズ４６に入射しないようにしてセンサレンズ４６の透過率の減少を抑制することが可能である。
【００６２】
（変形例１）
図６は、本発明の実施の形態の変形例１に従うレーザ装置１１３に含まれるレーザ走査部１１８Ｋ＃について説明する概略構成図である。
【００６３】
図６を参照して、本発明の実施の形態の変形例１に従うレーザ走査部１１８Ｋ＃は、図２で説明したレーザ走査部１１８Ｋと比較して、センサレンズ４６を削除した点と、センサレンズ４６の代わりに走査レンズ６ａ，６ｂを用いて、ＳＯＳ（Start of Scan）センサ５に集光させる点が異なる。その他の点については図２で説明したのと同様であるのでその詳細な説明は繰り返さない。
【００６４】
走査レンズ６ａ及び６ｂの端部は、さらに光ビームをＳＯＳセンサ５に結合させる。
ＳＯＳセンサ５は、感光体１１５Ｋの画像が形成される領域外に配置され、走査レンズ６ａ，６ｂを透過した光ビームの入射を検知する。当該光ビームの入射を検知することにより主走査方向の開始タイミング（同期）が設定される。
【００６５】
当該構成により、センサレンズ４６を別に設ける必要が無く、走査レンズ６ａ，６ｂを用いて同期信号を検出することが可能となるため部品点数を削減してコストダウンを図ることが可能である。
【００６６】
（変形例２）
図７は、本発明の実施の形態の変形例２に従う画像印字のための走査処理におけるタイミングシーケンスを説明する図である。
【００６７】
図７を参照して、ＳＯＳセンサ５から出力される同期信号、画像データＩａ，Ｉｂ、発光信号Ｐａ〜Ｐｃおよび発光部２０２ａ〜２０２ｃの発光状態が示されている。
【００６８】
本実施の形態においては、まず、画像印字時である時刻Ｔ１ｃにおいて、４５０ｎｍ以上の波長の光ビームを出射する発光部２０２ｃを発光信号Ｐｃにより発光させ、時刻Ｔ１ｄにおいてＳＯＳセンサ５で同期信号を検出する。その後、時刻Ｔ１ｄで検出された同期信号により書き出しタイミングが制御された画像データＩａ，Ｉｂが時刻Ｔ１ｅにおいて出力され、画像データＩａ，Ｉｂにより４５０ｎｍ未満の波長の光ビームを出射する発光部２０２ａ，２０２ｂを発光信号Ｐａ，Ｐｂにより発光させて画像を形成する。
【００６９】
また、時刻Ｔ１ｃよりも前の時刻Ｔ１ａ，Ｔ１ｂにおいて、それぞれ発光信号Ｐａ，Ｐｂにより画像領域外で発光部２０２ａ，２０２ｂを発光させて発光部２０２ａ，２０２ｂの光ビームの光量調整を行っている。以上のような走査シーケンスを繰り返し、画像の印字処理が実行される。
【００７０】
本発明の実施の形態の変形例２においては、画像印字のための走査処理において、まず、画像領域外でＳＯＳセンサ５で同期信号を検出するための走査処理が実行される。その際、４５０ｎｍ以上の波長の光ビームを出射する発光部２０２ｃを用いて走査する。したがって、センサレンズ４６に入射される光ビームは、４５０ｎｍ以上の波長を有するため、当該センサレンズ４６に樹脂レンズを用いた場合であっても光ビームの内部吸収による透過率の減少の影響を抑制することができる。
【００７１】
また、同期信号を検出するための走査処理の期間を所定期間として、当該所定期間以外の期間において光量調整のための発光部２０２ａ，２０２ｂの発光タイミングを設定することにより４５０ｎｍ未満の波長を有する光ビームがセンサレンズ４６に入射しないようにしてセンサレンズ４６の透過率の減少を抑制することが可能である。
【００７２】
（変形例３）
図８は、本発明の実施の形態の変形例３に従うレーザ装置１１３に含まれるレーザ走査部１１８Ｋａについて説明する概略構成図である。
【００７３】
図８を参照して、本発明の実施の形態の変形例３に従うレーザ走査部１１８Ｋａは、図２で説明したレーザ走査部１１８Ｋと比較して、センサレンズ４６と、ポリゴンミラー４との間にさらにフィルタ４７を設けた点が異なる。その他の点については図２で説明したのと同様であるのでその詳細な説明は繰り返さない。
【００７４】
フィルタ４７は、４５０ｎｍ以上の波長の光ビームの透過率は高く、逆に、４５０ｎｍ未満の波長の光ビームの透過率は低い特性を有しているものとする。
【００７５】
当該構成により、誤って、４５０ｎｍ未満の波長の光ビームがセンサレンズ４６に入射される場合であっても当該フィルタ４７により当該光ビームの透過が抑制されるため、センサレンズ４６の透過率の減少を抑制することが可能である。
【００７６】
（変形例４）
図９は、本発明の実施の形態の変形例４に従う入射光と反射光との関係を説明する図である。
【００７７】
図９を参照して、ここでは、入射角は、入射光と反射面の垂線の成す角で示され、本例においては、入射角αが示されている。同様に、反射角は、反射光と反射面の垂線の成す角で示され、本例においては、反射角αが示されている。すなわち、反射の法則により入射角と反射角とは等しい。
【００７８】
上述したようにＬＤアレイ２から出射される光ビームの入射光は固定であるがポリゴンミラー４が回転しているため反射面に対する入射角が変化して走査処理が実行される。
【００７９】
図１０は、本発明の実施の形態の変形例４に従うポリゴンミラー４の反射率特性を説明する図である。
【００８０】
図１０を参照して、本発明の実施の形態の変形例４に従うポリゴンミラー４の反射率特性は、入射角が小さいＳＯＳセンサ５で同期信号を検出するための走査処理の場合においては、４５０ｎｍ以上の波長の光ビームの反射率が高く、逆に、４５０ｎｍ未満の波長の光ビームの反射率が低い。
【００８１】
一方、入射角が大きい画像領域を形成する走査処理の場合においては、４５０ｎｍ以上の波長の光ビームの反射率が低く、逆に４５０ｎｍ未満の波長の光ビームの反射率が大きい。
【００８２】
当該ポリゴンミラー４の反射率特性は、表面を二酸化ケイ素（ＳiＯ2）等でコーティングし膜厚等を調整することにより実現することが可能である。
【００８３】
本発明の実施の形態の変形例４に従う構成によれば、ＳＯＳセンサ５で同期信号を検出するための走査処理の角度においては、４５０ｎｍ未満の波長の光ビームの反射率が小さいため、誤って光ビームがセンサレンズ４６に入射される場合であってもセンサレンズ４６の透過率の減少を抑制することが可能である。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８５】
２  ＬＤアレイ、３  コリメータレンズ、４  ポリゴンミラー、５  ＳＯＳセンサ、６ａ，６ｂ  走査レンズ、７  アパーチャ、８  光ビーム、１０ａ，１０ｂ，１０ｃ  レーザ駆動回路、１１  駆動部、３１  メモリ、３３  クロック発生回路、３４  画像処理ブロック、３５ａ，３５ｂ  変調回路、１０１  画像形成部、１０２  画像出力部、１０３  原稿台、１０４  スキャナ、１０５  露光ランプ、１１０Ａ  画像処理部、１１２  スキャナモータ、１１３  レーザ装置。
【図１】
2012154999.tif 000003
【図２】
2012154999.tif 000004
【図３】
2012154999.tif 000005
【図４】
2012154999.tif 000006
【図５】
2012154999.tif 000007
【図６】
2012154999.tif 000008
【図７】
2012154999.tif 000009
【図８】
2012154999.tif 000010
【図９】
2012154999.tif 000011
【図１０】
2012154999.tif 000012